(57)【特許請求の範囲】
【請求項１】
少なくとも１つのプロセッサと、
前記少なくとも１つのプロセッサと動作可能に通信する非一時的コンピュータ可読記憶媒体と、
を備え、前記コンピュータ可読記憶媒体が、１又はそれ以上のプログラミング命令を含み、前記命令が実行されたときに、
少なくとも１つのコンテンツプロモーションメッセージに対する少なくとも１つのメッセージ識別子及び前記少なくとも１つのコンテンツプロモーションメッセージにより宣伝される少なくとも１つのコンテンツ構成要素に対する少なくとも１つのコンテンツ識別子にアクセスし、
前記少なくとも１つのコンテンツプロモーションメッセージを少なくとも１つのコンテンツ再生デバイスに送信し、
前記少なくとも１つのコンテンツプロモーションメッセージが前記少なくとも１つのコンテンツ再生デバイスにて使用されることに応答して、少なくとも１つのメッセージインプレッションレコードを生成し、ここにおいて前記少なくとも１つのメッセージインプレッションレコードは、前記少なくとも１つのコンテンツプロモーションメッセージを使用した前記少なくとも１つのコンテンツ再生デバイスのデバイス識別子と、前記少なくとも１つのコンテンツプロモーションメッセージの前記少なくとも１つのメッセージ識別子と、を含み、
前記少なくとも１つのコンテンツ再生デバイスにおいて前記少なくとも１つのコンテンツ構成要素が使用されることに応答して、少なくとも１つのコンテンツインプレッションレコードを生成し、ここにおいて前記少なくとも１つのコンテンツインプレッションレコードは、前記少なくとも１つのコンテンツ構成要素を使用した前記少なくとも１つのコンテンツ再生デバイスのデバイス識別子と、前記少なくとも１つのコンテンツ構成要素の前記少なくとも１つのコンテンツ識別子と、を含み、
前記少なくとも１つのメッセージインプレッションレコード及び前記少なくとも１つのコンテンツインプレッションレコードに基づいて、前記少なくとも１つのコンテンツプロモーションメッセージの成果を判定し、ここにおいて前記成果は、前記少なくとも１つのコンテンツプロモーションメッセージに基づく前記少なくとも１つのコンテンツ構成要素の視聴率又は視聴者又は視聴者数への効果を示すよう構成される
ように前記少なくとも１つのプロセッサに行わせる、ことを特徴とするシステム。
【請求項２】
前記少なくとも１つのコンテンツプロモーションメッセージが、前記少なくとも１つのコンテンツ構成要素を宣伝する広告を含む、請求項１に記載のシステム。
【請求項３】
前記広告がテレビコマーシャルを含む、請求項２に記載のシステム。
【請求項４】
前記少なくとも１つのコンテンツ構成要素が、テレビ番組、テレビのエピソード、テレビイベント、ラジオ番組、ウェブサイト、画像、アニメーションコンテンツ、ポッドキャストコンテンツ、インターネットサービスアプリケーションコンテンツ、ブログコンテンツ、メッセージボードコンテンツ、及び電子広告板コンテンツのうちの少なくとも１つを含む、請求項１に記載のシステム。
【請求項５】
前記少なくとも１つのコンテンツ識別子がフィンガープリントを含む、請求項１に記載のシステム。
【請求項６】
前記少なくとも１つのコンテンツ再生デバイスが、テレビ、スマートテレビ、スマートフォン、タブレットコンピュータデバイス、セットトップボックス、電子広告板、電子リーダデバイス、ゲーム機、携帯用ゲーミングデバイス、コンピュータデバイス、及びファブレットのうちの少なくとも１つとして構成される、請求項１に記載のシステム。
【請求項７】
前記少なくとも１つのコンテンツ再生デバイスが、コンテンツ自動認識機能を実行するよう構成されたスマートテレビを含み、前記コンテンツ自動認識機能が、前記少なくとも１つのデバイス識別子を生成するよう構成される、請求項１に記載のシステム。
【請求項８】
前記成果が、前記少なくとも１つのコンテンツ構成要素再生の増加における前記少なくとも１つのコンテンツプロモーションメッセージの有効性を示すよう構成される、請求項１に記載のシステム。
【請求項９】
メディアネットワークの少なくとも一部分が、イーサネット(登録商標)、Ｗｉ−Ｆｉ、ＷｉＭａｘ、第３世代無線技術、ロングターム・エボリューション技術を含む第４世代無線技術、リアルタイムトランスポートプロトコル、リアルタイムトランスポート制御プロトコル、トランスポート制御プロトコル／インターネットプロトコル、ローカルエリアネットワーク、無線ローカルエリアネットワーク、及び広域ネットワークのうちの少なくとも１つを含む、請求項１に記載のシステム。
【請求項１０】
メディアネットワークの少なくとも一部分が、クラウドメディア配信ネットワークとして構成される、請求項１に記載のシステム。
【請求項１１】
コンピュータに実装される方法であって、少なくとも１つのプロセッサによって、
前記少なくとも１つのコンテンツプロモーションメッセージに対する少なくとも１つのメッセージ識別子及び前記少なくとも１つのコンテンツプロモーションメッセージにより宣伝される少なくとも１つのコンテンツ構成要素に対する少なくとも１つのコンテンツ識別子にアクセスする段階と、
前記少なくとも１つのコンテンツプロモーションメッセージを少なくとも１つのコンテンツ再生デバイスに送信する段階と、
前記少なくとも１つのコンテンツプロモーションメッセージが前記少なくとも１つのコンテンツ再生デバイスにて使用されることに応答して、少なくとも１つのメッセージインプレッションレコードを生成しここにおいて前記少なくとも１つのメッセージインプレッションレコードは、前記少なくとも１つのコンテンツプロモーションメッセージを使用した前記少なくとも１つのコンテンツ再生デバイスのデバイス識別子と、前記少なくとも１つのコンテンツプロモーションメッセージの前記少なくとも１つのメッセージ識別子と、を含む段階と、
前記少なくとも１つのコンテンツ再生デバイスにおいて前記少なくとも１つのコンテンツ構成要素が使用されることに応答して、少なくとも１つのコンテンツインプレッションレコードを生成し、ここにおいて前記少なくとも１つのコンテンツインプレッションレコードは、前記少なくとも１つのコンテンツ構成要素を使用した前記少なくとも１つのコンテンツ再生デバイスのデバイス識別子と、前記少なくとも１つのコンテンツ構成要素の前記少なくとも１つのコンテンツ識別子と、を含む段階と、
前記少なくとも１つのメッセージインプレッションレコード及び前記少なくとも１つのコンテンツインプレッションレコードに基づいて、前記少なくとも１つのコンテンツプロモーションメッセージの成果を判定し、ここにおいて前記成果は、前記少なくとも１つのコンテンツプロモーションメッセージに基づく前記少なくとも１つのコンテンツ構成要素の視聴率又は視聴者又は視聴者数への効果を示すよう構成される段階と、
を含む、方法。
【請求項１２】
前記少なくとも１つのコンテンツプロモーションメッセージが、前記少なくとも１つのコンテンツ構成要素を宣伝する広告を含む、請求項１１に記載の方法。
【請求項１３】
前記広告がテレビコマーシャルを含む、請求項１２に記載の方法。
【請求項１４】
前記少なくとも１つのコンテンツ構成要素が、テレビ番組、テレビのエピソード、テレビイベント、ラジオ番組、ウェブサイト、画像、アニメーションコンテンツ、インターネットサービスアプリケーションコンテンツ、ポッドキャストコンテンツ、ブログコンテンツ、メッセージボードコンテンツ、及び電子広告板コンテンツのうちの少なくとも１つを含む、請求項１１に記載の方法。
【請求項１５】
前記少なくとも１つのコンテンツ識別子がフィンガープリントを含む、請求項１１に記載の方法。
【請求項１６】
前記少なくとも１つのコンテンツ再生デバイスが、テレビ、スマートテレビ、スマートフォン、タブレットコンピュータデバイス、セットトップボックス、電子広告板、電子リーダデバイス、ゲーム機、携帯用ゲーミングデバイス、コンピュータデバイス、及びファブレットのうちの少なくとも１つとして構成される、請求項１１に記載の方法。
【請求項１７】
前記少なくとも１つのコンテンツ再生デバイスが、コンテンツ自動認識機能を実行するよう構成されたスマートテレビとして構成され、前記コンテンツ自動認識機能が、前記少なくとも１つのデバイス識別子を生成するよう構成される、請求項１１に記載の方法。
【請求項１８】
前記成果が、前記少なくとも１つのコンテンツ構成要素再生の増加における前記少なくとも１つのコンテンツプロモーションメッセージの有効性を示すよう構成される、請求項１１に記載の方法。
【請求項１９】
前記メディアネットワークの少なくとも一部分が、イーサネット(登録商標)、Ｗｉ−Ｆｉ、ＷｉＭａｘ、第３世代無線技術、ロングターム・エボリューション技術を含む第４世代無線技術、リアルタイムトランスポートプロトコル、リアルタイムトランスポート制御プロトコル、トランスポート制御プロトコル／インターネットプロトコル、ローカルエリアネットワーク、無線ローカルエリアネットワーク、及び広域ネットワークのうちの少なくとも１つを含む、請求項１１に記載の方法。
【請求項２０】
前記メディアネットワークの少なくとも一部分が、クラウドメディア配信ネットワークとして構成される、請求項１１に記載の方法。
【請求項２１】
メディアネットワーク内のコンテンツを再生するためのデバイスであって、前記デバイスが、
少なくとも１つのプロセッサと、
前記少なくとも１つのプロセッサと動作可能に通信する非一時的コンピュータ可読記憶媒体と、を備え、前記コンピュータ可読記憶媒体が、１又はそれ以上のプログラミング命令を含み、前記命令が実行されたときに、
少なくとも１つのコンテンツプロモーションメッセージ及び前記少なくとも１つのコンテンツプロモーションメッセージに関連する少なくとも１つのコンテンツ構成要素を受信し、
前記少なくとも１つのコンテンツプロモーションメッセージ又は前記少なくとも１つのコンテンツ構成要素が前記デバイスにて使用されることに応答して、少なくとも１つのデバイス識別子を生成し、
前記少なくとも１つのコンテンツ構成要素が前記デバイスで使用されることに応答して、少なくとも１つのコンテンツインプレッションレコードを生成し、ここにおいて各コンテンツインプレッションレコードは、前記少なくとも１つのコンテンツ構成要素のメッセージ識別子と、前記プロセッサによってアクセス可能な識別子データベース内に格納された少なくとも１つのデバイス識別子に対応する前記生成されたデバイス識別子のうちの少なくとも１つとを含む
ように前記少なくとも１つのプロセッサに行わせる、ことを特徴とするデバイス。
【請求項２２】
前記少なくとも１つのコンテンツプロモーションメッセージが、前記少なくとも１つのコンテンツ構成要素を宣伝する広告を含む、請求項２１に記載のデバイス。
【請求項２３】
前記広告がテレビコマーシャルを含む、請求項２２に記載のデバイス。
【請求項２４】
前記少なくとも１つのコンテンツ構成要素が、テレビ番組、テレビのエピソード、テレビイベント、ラジオ番組、ウェブサイト、画像、アニメーションコンテンツ、ポッドキャストコンテンツ、インターネットサービスアプリケーションコンテンツ、ブログコンテンツ、メッセージボードコンテンツ、及び電子広告板コンテンツのうちの少なくとも１つを含む、請求項２１に記載のデバイス。
【請求項２５】
前記少なくとも１つのデバイス識別子が、コンテンツ識別子及びメッセージ識別子のうちの少なくとも１つを含む、請求項２１に記載のデバイス。
【請求項２６】
前記少なくとも１つのコンテンツ識別子がフィンガープリントを含む、請求項２５に記載のデバイス。
【請求項２７】
前記少なくとも１つのデバイスが、テレビ、スマートテレビ、スマートフォン、タブレットコンピュータデバイス、セットトップボックス、電子広告板、電子リーダデバイス、ゲーム機、携帯用ゲーミングデバイス、コンピュータデバイス、及びファブレットのうちの少なくとも１つとして構成される、請求項２１に記載のデバイス。
【請求項２８】
前記少なくとも１つのデバイスが、コンテンツ自動認識機能を実行するよう構成されたスマートテレビとして構成され、前記コンテンツ自動認識機能が、前記少なくとも１つのデバイス識別子を生成するよう構成される、請求項２１に記載のデバイス。
【請求項２９】
前記メディアネットワークの少なくとも一部分が、イーサネット(登録商標)、Ｗｉ−Ｆｉ、ＷｉＭａｘ、第３世代無線技術、ロングターム・エボリューション技術を含む第４世代無線技術、リアルタイムトランスポートプロトコル、リアルタイムトランスポート制御プロトコル、トランスポート制御プロトコル／インターネットプロトコル、ローカルエリアネットワーク、無線ローカルエリアネットワーク、及び広域ネットワークのうちの少なくとも１つを含む、請求項２１に記載のデバイス。
【請求項３０】
前記メディアネットワークの少なくとも一部分が、クラウドメディア配信ネットワークとして構成される、請求項２１に記載のデバイス。
【請求項３１】
コンピュータ可読プログラムコードを有する非一時的コンピュータ可読記憶媒体であって、前記コンピュータ可読プログラムコードが、
前記少なくとも１つのコンテンツプロモーションメッセージに対する少なくとも１つのメッセージ識別子及び前記少なくとも１つのコンテンツプロモーションメッセージにより宣伝される少なくとも１つのコンテンツ構成要素に対する少なくとも１つのコンテンツ識別子にアクセスするよう構成されたコンピュータ可読プログラムコードと、
前記少なくとも１つのコンテンツプロモーションメッセージを少なくとも１つのコンテンツ再生デバイスに送信するよう構成されたコンピュータ可読プログラムコードと、
前記少なくとも１つのコンテンツプロモーションメッセージが前記少なくとも１つのコンテンツ再生デバイスにて使用されることに応答して、少なくとも１つのメッセージインプレッションレコードを生成し、ここにおいて前記少なくとも１つのメッセージインプレッションレコードは、前記少なくとも１つのコンテンツプロモーションメッセージを使用した前記少なくとも１つのコンテンツ再生デバイスのデバイス識別子と、前記少なくとも１つのコンテンツプロモーションメッセージの前記少なくとも１つのメッセージ識別子と、を含むよう構成されたコンピュータ可読プログラムコードと、
前記少なくとも１つのコンテンツ再生デバイスにおいて前記少なくとも１つのコンテンツ構成要素が使用されることに応答して、少なくとも１つのコンテンツインプレッションレコードを生成し、ここにおいて前記少なくとも１つのコンテンツインプレッションレコードは、前記少なくとも１つのコンテンツ構成要素を使用した前記少なくとも１つのコンテンツ再生デバイスのデバイス識別子と、前記少なくとも１つのコンテンツ構成要素の前記少なくとも１つのコンテンツ識別子と、を含むよう構成されたコンピュータ可読プログラムコードと、
前記少なくとも１つのメッセージインプレッションレコード及び前記少なくとも１つのコンテンツインプレッションレコードに基づいて、前記少なくとも１つのコンテンツプロモーションメッセージの成果を判定し、ここにおいて前記成果は、前記少なくとも１つのコンテンツプロモーションメッセージに基づく前記少なくとも１つのコンテンツ構成要素の視聴率又は視聴者又は視聴者数への効果を示すよう構成されるコンピュータ可読プログラムコードと、
を含む、コンピュータ可読記憶媒体。
【請求項３２】
前記少なくとも１つのコンテンツプロモーションメッセージが、前記少なくとも１つのコンテンツ構成要素を宣伝する広告を含む、請求項３１に記載のコンピュータ可読記憶媒体。
【請求項３３】
前記広告がテレビコマーシャルを含む、請求項３２に記載のコンピュータ可読記憶媒体。
【請求項３４】
前記少なくとも１つのコンテンツ構成要素が、テレビ番組、テレビのエピソード、テレビイベント、ラジオ番組、ウェブサイト、画像、アニメーションコンテンツ、ポッドキャストコンテンツ、インターネットサービスアプリケーションコンテンツ、ブログコンテンツ、メッセージボードコンテンツ、及び電子広告板コンテンツのうちの少なくとも１つを含む、請求項３１に記載のコンピュータ可読記憶媒体。
【請求項３５】
前記少なくとも１つのコンテンツ識別子がフィンガープリントを含む、請求項３１に記載のコンピュータ可読記憶媒体。
【請求項３６】
前記少なくとも１つのコンテンツ構成要素再生の増加における前記少なくとも１つのコンテンツプロモーションメッセージの有効性を示すよう構成される成果を判定するよう構成されたコンピュータ可読プログラムコード更に含む、請求項３１に記載のコンピュータ可読記憶媒体。
【発明の詳細な説明】
【技術分野】
【０００１】
（関連出願への相互参照)
本出願は、２０１２年７月２０日に出願され、内容全体が引用により本明細書に組み入れられる米国仮出願第６１／６７４，０２５号の利益を主張する。
【０００２】
本明細書で説明する技術は、一般に、メディアネットワーク内のプロモーションメッセージの成果を判定することに関し、より具体的には、プロモーションメッセージ及び／又はプロモーションメッセージに関連するコンテンツが、メディアネットワーク内のデバイスによってアクセスされるかどうかを判定することに関する。
【背景技術】
【０００３】
コンテンツプロバイダ及びメディアネットワーク運用業者は、視聴可能な番組を宣伝するために、番組プロモーション広告を使用することがある。番組プロモーション広告主の課題は、広告の有効性を評価することである。従来技術によれば、有効性は、サンプリングデータ及び試験グループに基づいてのみ判定することができる。これは、非効率的で、誤りが生じやすいプロセスである。そのため、番組プロモーション広告主は、コンテンツ視聴者に対する自分達の広告の効果を正確に認識することができない。この種の環境では、コンテンツプロバイダ及びメディアネットワーク運用業者は、番組プロモーション及び広告キャンペーンの成功を生かすことができず、又は宣伝する番組を見るよう視聴者に促すことのない効果のない広告を排除することができない。したがって、とりわけ、いずれの広告がいずれの視聴者によって見られているかを取り込んで、この情報と、同じ視聴者によっていずれの番組が見られているかと、を比較することができる自動化された効率的な手法で番組プロモーション又はキャンペーンの成果を判定するための方法を提供することが有益であろう。
【先行技術文献】
【特許文献】
【０００４】
【特許文献１】米国仮出願第６１／６７４，０２５号
【発明の概要】
【課題を解決するための手段】
【０００５】
ここで説明する特定のシステム、デバイス、及び方法は変更することができることから、本開示はこれらに限定されるものではない。説明で使用される用語は、特定の形態又は実施形態を説明する目的のものに過ぎず、その範囲を限定することを意図するものではない。
【０００６】
本文書で使用される単数形「ａ」、「ａｎ」、及び「ｔｈｅ」は、文脈がそれ以外を明確に示さない限り複数の引用を含む。他に定義されない限り、本明細書で使用する全ての技術的及び科学的用語は、当業者によって一般的に理解されるのと同じ意味を有する。本開示のいかなるものも、従来の発明によるそのような開示に対して本発明が先行しないものであると自認すると解釈されるべきではない。本文書で使用される用語「ｃｏｍｐｒｉｓｉｎｇ」は、「限定ではないが含む」を意味する。
【０００７】
１つの実施形態において、メディアネットワーク内の少なくとも１つのコンテンツプロモーションメッセージの少なくとも１つの成果を判定するためのシステムは、プロセッサと、プロセッサと動作可能に通信する非一時的コンピュータ可読記憶媒体と、を備えることができる。コンピュータ可読記憶媒体は、１又はそれ以上のプログラミング命令を含むことができ、該命令が実行されたときに、少なくとも１つのコンテンツプロモーションメッセージ及び少なくとも１つのコンテンツプロモーションメッセージに関連する少なくとも１つのコンテンツ構成要素に対する少なくとも１つのネットワーク識別子を生成し、少なくとも１つのコンテンツプロモーションメッセージ及び少なくとも１つのコンテンツ構成要素を少なくとも１つのコンテンツ再生デバイスに対して送信し、少なくとも１つのコンテンツプロモーションメッセージ又は少なくとも１つのコンテンツ構成要素が少なくとも１つのコンテンツ再生デバイスにて再生されることに応答して、少なくとも１つのデバイス識別子を受信し、少なくとも１つのデバイス識別子に対応する少なくとも１つのネットワーク識別子に応答して、少なくとも１つのインプレッションレコードを生成し、少なくとも１つのインプレッションを分析して少なくとも１つのコンテンツプロモーションメッセージの成果を判定する、ようにプロセッサに行わせる。
【０００８】
１つの実施形態において、少なくとも１つのコンテンツプロモーションメッセージの少なくとも１つの成果を判定するためのコンピュータに実装される方法は、プロセッサによって、少なくとも１つのコンテンツプロモーションメッセージ及び少なくとも１つのコンテンツプロモーションメッセージに関連する少なくとも１つのコンテンツ構成要素に対する少なくとも１つのネットワーク識別子を生成する段階と、少なくとも１つのコンテンツプロモーションメッセージ及び少なくとも１つのコンテンツ構成要素を少なくとも１つのコンテンツ再生デバイスに送信する段階と、少なくとも１つのコンテンツプロモーションメッセージ又は少なくとも１つのコンテンツ構成要素が少なくとも１つのコンテンツ再生デバイスにて再生されることに応答して、少なくとも１つのデバイス識別子を受信する段階と、少なくとも１つのデバイス識別子に対応する少なくとも１つのネットワーク識別子に応答して、少なくとも１つのインプレッションレコードを生成する段階と、少なくとも１つのインプレッションを分析して少なくとも１つのコンテンツプロモーションメッセージの成果を判定する段階と、を含むことができる。
【０００９】
１つの実施形態において、メディアネットワーク内のコンテンツを再生するためのコンテンツ再生デバイスは、プロセッサと、プロセッサと動作可能に通信する非一時的コンピュータ可読記憶媒体と、を備えることができる。コンピュータ可読記憶媒体は、１又はそれ以上のプログラミング命令を含むことができ、該命令が実行されたときに、少なくとも１つのコンテンツプロモーションメッセージ及び少なくとも１つのコンテンツプロモーションに関連する少なくとも１つのコンテンツ構成要素を受信し、少なくとも１つのコンテンツプロモーションメッセージ又は少なくとも１つのコンテンツ構成要素が少なくとも１つのコンテンツ再生デバイスにて再生されることに応答して、少なくとも１つのデバイス識別子を生成し、プロセッサによってアクセス可能な識別子データベース内に格納された少なくとも１つのデバイス識別子に対応する少なくとも１つのデバイス識別子に応答して、少なくとも１つのインプレッションレコードを生成する、ようにプロセッサに行わせる。
【００１０】
１つの実施形態において、具現化された少なくとも１つのコンテンツプロモーションメッセージの少なくとも１つの成果を判定するよう構成されたコンピュータ可読プログラムコードを有するコンピュータ可読記憶媒体は、少なくとも１つのコンテンツプロモーションメッセージ及び少なくとも１つのコンテンツプロモーションメッセージに関連する少なくとも１つのコンテンツ構成要素に対する少なくとも１つのネットワーク識別子を生成するよう構成されたコンピュータ可読プログラムコードと、少なくとも１つのコンテンツプロモーションメッセージ及び少なくとも１つのコンテンツ構成要素を少なくとも１つのコンテンツ再生デバイスに送信するよう構成されたコンピュータ可読プログラムコードと、少なくとも１つのコンテンツプロモーションメッセージ又は少なくとも１つのコンテンツ構成要素が少なくとも１つのコンテンツ再生デバイスにて再生されることに応答して、少なくとも１つのデバイス識別子を受信するよう構成されたコンピュータ可読プログラムコードと、少なくとも１つのデバイス識別子に対応する少なくとも１つのネットワーク識別子に応答して、少なくとも１つのインプレッションレコードを生成するよう構成されたコンピュータ可読プログラムコードと、少なくとも１つのインプレッションを分析して少なくとも１つのコンテンツプロモーションメッセージの成果を判定するよう構成されたコンピュータ可読プログラムコードと、を含むことができる。
【００１１】
本発明の上記及び他の目的は、添付図面と関連して解釈される以下の詳細な説明からより容易に明らかになるであろう。
【図面の簡単な説明】
【００１２】
【図１】幾つかの実施形態による例示的なメディアネットワークを示す図である。
【図２】幾つかの実施形態による例示的なメッセージインプレッションレコード及び例示的なコンテンツインプレッションレコードを示す図である。
【図３】第１の実施形態による例示的なコンテンツ配信システムを示す図である。
【図４】第２の実施形態による例示的なコンテンツ配信システムを示す図である。
【図５】上述のような種々のコンピュータ処理及びシステムを含む又は実施するのに使用することができる例示的な内部ハードウェアのブロック図である。
【発明を実施するための形態】
【００１３】
ここで説明する技術は、プロモーションメッセージの成果を判定するよう構成されたシステム、方法、及びコンピュータ可読媒体を目的としている。例えば、幾つかの実施形態では、ユーザがコンテンツプロモーションメッセージにアクセスしたかどうか、及び／又はユーザがコンテンツプロモーションメッセージに関連するコンテンツにアクセスしたかどうかを判定することができる。１つの実施形態において、コンテンツプロモーションメッセージは、テレビ番組、ウェブサイト、ラジオ局、又は同様のものなどの１又はそれ以上のコンテンツ構成要素を宣伝するよう構成された広告とすることができる。幾つかの実施形態は、特定のプロモーションメッセージで宣伝されるコンテンツ構成要素にユーザがアクセスしたかどうかを判定するよう構成することができる。このようにして、コンテンツプロバイダ及び／又は広告主は、特定のプロモーションメッセージの有効性を、例えば、リアルタイムに及び／又は実質的にリアルタイムに判定することができる。
【００１４】
幾つかの実施形態によれば、各プロモーションメッセージは、プロモーションメッセージを分類し及び／又は一意に識別するよう構成されたメッセージ識別子と関連付けることができる。例えば、コンテンツプロバイダによって送信されたプロモーションメッセージは、「フィンガープリント」、「透かし」、又は他のマーキング技術と関連付けることができる。テレビのエピソード及び／又はこの一部などのコンテンツ構成要素は、コンテンツ識別子フィンガープリントと関連付けることができる。プロモーションメッセージ／コンテンツ構成要素が、テレビ、ラジオ、又はコンピュータデバイスなどのコンテンツ再生デバイスによってアクセスされたときに、メッセージ／コンテンツ識別子を含むインプレッションレコードを生成することができる。インプレッションレコードが分析され、プロモーションメッセージ及び／又はプロモーションメッセージに関連するコンテンツにユーザがアクセスしたかどうかなど、プロモーションメッセージに関連する成果を判定することができる。
【００１５】
図１は、幾つかの実施形態による例示的なメディアネットワークを示す。図１に示すように、メディアネットワーク１００は、メディアコンテンツプロバイダ１０５を含むことができる。メディアコンテンツプロバイダ１０５の非限定的な例は、テレビ放送ネットワーク、ケーブルテレビネットワーク、衛星テレビネットワーク、インターネットサービスプロバイダ（ＩＳＰ）、コンピュータデバイス広告ネットワーク、分散コンピュータネットワーク、又はこれらの組み合わせを含む。１つの実施形態において、メディアネットワーク１００は、家庭用アドレス可能ネットワークとして構成することができ、この場合の家庭用アドレス可能とは、一般に、メディアネットワーク内の１又はそれ以上の家庭及び／又は家庭区分をコンテンツの対象にする能力を指す。
【００１６】
メディアネットワーク１０５は、イーサネット(登録商標)、無線（例えば、Ｗｉ−Ｆｉ）、ＷｉＭａｘ、セルラーデータネットワークプロトコル（例えば、第３世代（３Ｇ）無線技術、ロングターム・エボリューション（ＬＴＥ）技術を含む第４世代（４Ｇ）無線技術）、リアルタイムトランスポートプロトコル、リアルタイムトランスポート制御プロトコル、トランスポート制御プロトコル／インターネットプロトコル（ＴＣＰ／ＩＰ）、ローカルエリアネットワーク（ＬＡＮ）、無線ＬＡＮ（ＷＬＡＮ）、広域ネットワーク（ＷＡＮ）、又は同様のものなど、様々なネットワークプラットフォームを含むことができる。
【００１７】
メディアコンテンツプロバイダ１０５は、コンテンツプロモーションメッセージ１１０ａ−１１０ｎ及び／又はコンテンツ構成要素１２０ａ−１２０ｎを、種々のコンテンツ再生デバイス１５５ａ−１５５ｎを含む視聴者ネットワーク１５０に送信することができる。幾つかの実施形態によれば、コンテンツ再生デバイス１５５ａ−１５５ｎは、メディアコンテンツプロバイダ１０５によって送信されたデータ（例えば、コンテンツプロモーションメッセージ１１０ａ−１１０ｎ及び／又はコンテンツ構成要素１２０ａ−１２０ｎ）を再生、表示、読み取り、実行、又は他の方法で利用する能力があるいずれかのタイプのデバイスを含むことができる。コンテンツ再生デバイス１５５ａ−１５５ｎの例証的で非限定的な例は、セットトップボックス（ＳＴＢ）、テレビ、スマートテレビ（「Ｓｍａｒｔ  ＴＶ」）、電子広告板、パーソナルコンピュータ（ＰＣ）、ラップトップコンピュータ、モバイルコンピュータデバイス、スマートフォン、タブレットコンピュータデバイス、電子リーダデバイス（「ｅ−ｒｅａｄｅｒ」）、ゲーム機、携帯用ゲーミングデバイス、コンピュータデバイス、ファブレット、又は同様のものを含む。
【００１８】
１つの実施形態において、分散コンピュータネットワークとして構成されたメディアネットワーク１００は、Ａｅｒｅｏ（商標）、Ｒｏｋｕ（登録商標）、又は当業者に公知の又は将来的に開発される他のクラウドベースのネットワークのような、クラウド又はクラウドベースのメディア配信ネットワークを含むことができる。このような実施形態において、コンテンツ再生デバイス１５５ａ−１５５ｎは、メディアコンテンツプロバイダ１０５に関連するクラウドベースのストレージインフラストラクチャ内に格納されたコンテンツプロモーションメッセージ１１０ａ−１１０ｎ及び／又はコンテンツ構成要素１２０ａ−１２０ｎにアクセスすることができる。例えば、コンテンツプロモーションメッセージ１１０ａ−１１０ｎ及び／又はコンテンツ構成要素１２０ａ−１２０ｎは、ソフトウェアアプリケーション（例えば、サーバ及び／又はクライアントアプリケーション）、モバイルアプリケーション（「モバイルアプリ」又は「アプリ」）、ウェブベースのアプリケーション、又は同様のものなど、コンテンツ再生デバイス上で実行中のインタフェースからユーザによる選択に応答してコンテンツ再生デバイス１５５ａ−１５５ｎにストリーミングすることができる。幾つかの実施形態によれば、インタフェース及び／又はクラウドベースのストレージインフラストラクチャは、デジタルビデオレコーダ（ＤＶＲ）又はＳＴＢなど、アクセス中のメディアコンテンツに関連する種々のハードウェア構成要素をエミュレートするよう構成することができる。
【００１９】
コンテンツ構成要素１２０ａ−１２０ｎは、テレビ番組、ラジオ番組、ウェブサイト、オーディオストリーム、ビデオストリーム、マルチメディアストリーム、画像、アニメーションコンテンツ、ポッドキャストコンテンツ、インターネットサービスアプリケーションコンテンツ（例えば、Ｆａｃｅｂｏｏｋ（登録商標）、Ｔｗｉｔｔｅｒ（登録商標）、又は同様のものを含むソーシャルネットワークアプリケーション）、ブログコンテンツ、メッセージボードコンテンツ、電子広告板コンテンツ、又は同様のものなど、コンテンツ再生デバイス１５５ａ−１５５ｎによって利用することができるあらゆるタイプのコンテンツを含むことができる。コンテンツプロモーションメッセージ１１０ａ−１１０ｎは、コンテンツ構成要素１２０ａ−１２０ｎを宣伝又は広告するよう構成されたメッセージを含むことができる。例えば、コンテンツプロモーションメッセージ１１０ａ−１１０ｎは、特定のテレビ番組（例えば、チャンネルＹの「番組Ｘ」）、エピソード、イベント（例えば、スポーツイベント、授賞式、又はニュースイベント）、又は同様のものを宣伝又は広告するよう構成されたテレビ広告として構成することができる。１つの実施形態において、メディアコンテンツプロバイダ１０５は、コンテンツプロモーションメッセージの主体である１又はそれ以上のコンテンツ構成要素１２０ａ−１２０ｎにユーザがアクセスするのを促す目的で、コンテンツプロモーションメッセージ１１０ａ−１１０ｎをコンテンツ再生デバイス１５５ａ−１５５ｎに送信することができる。
【００２０】
ユーザは、コンテンツプロモーションメッセージ１１０ａ−１１０ｎ、コンテンツ構成要素１２０ａ−１２０ｎ、コンテンツ再生デバイス１５５ａ−１５５ｎ、又は同様のものの種類のような種々の要因に基づいて、コンテンツ構成要素１２０ａ−１２０ｎにアクセスするよう影響を受けることがある。例えば、テレビ番組のコンテンツ構成要素１２０ａ−１２０ｎを広告するよう構成されたコンテンツプロモーションメッセージ１１０ａ−１１０ｎの場合、ユーザは、テレビコンテンツ再生デバイス１５５ａ−１５５ｎをこのコンテンツ構成要素を提供するチャンネルに合わせることによって、コンテンツ構成要素にアクセスすることができる。別の例では、コンテンツプロモーションメッセージ１１０ａ−１１０ｎは、コンテンツ再生デバイス１５５ａ−１５５ｎによって読み取られて、広告されるコンテンツ構成要素１２０ａ−１２０ｎにアクセスするようコンテンツ再生デバイスをリダイレクトできる種々のインディシア（標識）を含むことができる。例えば、コンテンツプロモーションメッセージ１１０ａ−１１０ｎは、スマートフォン、タブレットコンピュータデバイス、又はこれらに関連する入力デバイスなどのコンテンツ再生デバイス１５５ａ−１５５ｎによって読み取ることができ、モバイルアプリを開く及び／又はブラウザをウェブサイトにリダイレクトすることができるクイックレスポンス（ＱＲ）コードを含むことができる。更なる実施例において、コンテンツプロモーションメッセージ１１０ａ−１１０ｎは、対話型電子広告板デバイスを通じてなど、対話型広告キャンペーンの一部として構成することができる。このような実施例では、ユーザは、スマートフォン又はタブレットコンピュータデバイスなどのコンテンツ再生デバイス１５５ａ−１５５ｎを用いて、対話型電子広告板デバイスとの接続を確立することができる。例えば、この接続は、イーサネット(登録商標)、Ｗｉ−Ｆｉ、Ｂｌｕｅｔｏｏｔｈ（登録商標）、赤外線、又は同様のものなど、当業者には公知の１又はそれ以上の通信プロトコルを用いて確立することができる。ユーザは、電子広告板デバイス及び／又はコンテンツ再生デバイス１５５ａ−１５５ｎ上で実行されるソフトウェアアプリケーション、モバイルアプリケーション（ａｐｐ）、又は同様のものを通じてなど、電子広告板デバイス上に表示されるコンテンツプロモーションメッセージ１１０ａ−１１０ｎと対話し、例えば、電子広告板デバイス上に表示可能なウェブサイト又は広告などのコンテンツ構成要素１２０ａ−１２０ｎにアクセスすることができる。電子広告板デバイスは、例えば、イーサネット(登録商標)、基本電話サービス（ｐｌａｉｎ  ｏｌｄ  ｔｅｌｅｐｈｏｎｅ  ｓｅｒｖｉｃｅ；ＰＯＴＳ）、シリアル、又は同様のものを通じてメディアコンテンツプロバイダ１０５と通信することができ、その結果、ユーザ対話に関連する情報をメディアコンテンツプロバイダによって格納及び／又は分析することができる（図２及び図３参照）。
【００２１】
図１に示すように、各コンテンツプロモーションメッセージ１１０ａ−１１０ｎは、メディアネットワーク１００内でコンテンツプロモーションメッセージを識別するよう構成されたメッセージ識別子１１５ａ−１１５ｎを含むことができる。加えて、各コンテンツ構成要素１２０ａ−１２０ｎは、メディアネットワーク１００内でコンテンツ構成要素を識別するよう構成されたコンテンツ識別子１２５ａ−１２５ｎを含むことができる。更に、各コンテンツ再生デバイス１５５ａ−１５５ｎは、メディアネットワーク１００内でコンテンツ構成要素を識別するよう構成されたデバイス識別子１２５ａ−１２５ｎを含むことができる。
【００２２】
幾つかの実施形態によれば、メッセージ識別子１１５ａ−１１５ｎ及び／又はコンテンツ識別子１２５ａ−１２５ｎは、以下でより詳細に説明するように（図３及び図４参照）、メディアコンテンツプロバイダ１０５（「ネットワーク識別子」）及び／又はコンテンツ再生デバイス１５５ａ−１５５ｎ（「デバイス識別子」）によって生成することができる。メッセージ識別子１１５ａ−１１５ｎ及び／又はコンテンツ識別子１２５ａ−１２５ｎは、種々の方法を用いて生成することができる。例えば、コンテンツ自動認識（ＡＣＲ)、パターン認識、クイックレスポンス（ＱＲ）コード、クローズドキャプション分析、及び当業者に公知の又は将来的に開発されるコンテンツ用の識別子（例えば、電子的に格納されたデジタル識別子）を認識及び／又は生成する他のいずれかの方法などがある。
【００２３】
メッセージインプレッションレコード１３５（図２参照）は、コンテンツプロモーションメッセージ１１０ａ−１１０ｎがコンテンツ再生デバイス１５５ａ−１５５ｎによって利用されることに応答して生成することができる。幾つかの実施形態によれば、メッセージインプレッションレコード１３５は、例えば、メディアコンテンツプロバイダ１０５は、いずれのコンテンツプロモーションメッセージがどの視聴者に届いたかを判定できるように、コンテンツプロモーションメッセージ１１０ａ−１１０ｎがコンテンツ再生デバイス１５５ａ−１５５ｎによって利用されたかどうかを記録するよう構成することができる。例えば、メッセージインプレッションレコード１３５は、視聴者がテレビコンテンツ再生デバイス１５５ａ上でテレビ広告のコンテンツプロモーションメッセージ１１０ａを見たときに生成することができる。このようにして、メディアコンテンツプロバイダ１０５は、デバイス識別子１６０ａに関連する視聴者がコンテンツプロモーションメッセージ１１０ａを見たことを判定することができる。
【００２４】
コンテンツインプレッションレコード１４０（図２参照）は、コンテンツ構成要素１２０ａ−１２０ｎがコンテンツ再生デバイス１５５ａ−１５５ｎによって利用されることに応答して生成することができる。コンテンツインプレッションレコード１４０は、例えば、いずれのコンテンツ構成要素がどの視聴者に届いたかをメディアコンテンツプロバイダ１０５が判定できるように、コンテンツ構成要素１２０ａ−１２０ｎがコンテンツ再生デバイス１５５ａ−１５５ｎによって利用されたかどうかを記録するよう構成することができる。例えば、コンテンツインプレッションレコード１４０は、視聴者がテレビコンテンツ再生デバイス１５５ａでテレビ・エピソードのコンテンツ構成要素１２０ａを見たときに生成することができる。このようにして、メディアコンテンツプロバイダ１０５は、デバイス識別子１６０ａに関連する視聴者がコンテンツ構成要素１１０ａを見たと判定することができる。
【００２５】
１つの実施形態において、メッセージインプレッションレコード１３５及び／又はコンテンツインプレッションレコード１４０は、メディアネットワーク１００内でアクセス可能なデータベース１３０内に格納することができる。幾つかの実施形態によれば、データベース１３０内に格納された情報は、メディアネットワーク１００の外部、例えば、ここに格納された情報を分析するよう構成された１又はそれ以上のサードパーティ（図示せず）が利用可能とすることができる。例示的なサードパーティは、広告主、プログラミング・コーディネータ、サービスプロバイダ、又は同様のものを含むことができる。
【００２６】
以下でより詳細に説明するように、メッセージインプレッションレコード１３５及び／又はコンテンツインプレッションレコード１４０を分析して、コンテンツプロモーションメッセージ１１０ａ−１１０ｎ及び／又はコンテンツ構成要素１２０ａ−１２０ｎに関連する成果を判定することができる。例えば、メッセージインプレッションレコード１３５は、どのユーザがいずれのコンテンツプロモーションメッセージ１１０ａ−１１０ｎを受けたかを示すことができ、コンテンツインプレッションレコード１４０は、どのユーザがいずれのコンテンツプロモーションメッセージ１１０ａ−１１０ｎを受けたかを示すことができる。メッセージインプレッションレコード１３５及び／又はコンテンツインプレッションレコード１４０の分析は、コンテンツプロモーションメッセージ１１０ａ−１１０ｎが効果的であったかどうかを示すことができる。例えば、特定のコンテンツプロモーションメッセージにアクセスしなかったユーザに比べて、この特定のコンテンツプロモーションメッセージを受けて、コンテンツプロモーションメッセージにおいて宣伝されたコンテンツ構成要素１２０ａ−１２０ｎにアクセスしたユーザの方がより高い割合であったかどうかである。
【００２７】
図２は、幾つかの実施形態による例示的なメッセージインプレッションレコード及び例示的なコンテンツインプレッションレコードを示す。図２に示すように、メッセージインプレッションレコード２０５は、コンテンツ再生デバイスによるコンテンツプロモーションメッセージのインプレッション（例えば、アクセス、表示、利用、又は同様のもの）についての情報を提供するよう構成された種々のレコード要素２１０ａ−２１０ｎを含むことができる。メッセージインプレッションレコード２０５のレコード要素の実施例は、限定ではないが、コンテンツプロモーションメッセージを利用したコンテンツ再生デバイスのデバイス識別子２１０ａと、コンテンツプロモーションメッセージが利用された日付２１０ｂ及び時刻２１０ｃと、関連するコンテンツプロモーションメッセージのプロモーション識別子２１０ｄと、特定のメッセージインプレッションレコードの一意のレコード識別子２１０ｅと、メッセージインプレッションレコードのための他の情報を含むよう構成されたメタデータ２１０ｎと、本明細書で提供される実施形態に従って使用できる他のいずれかのタイプのレコード要素と、を含むことができる。
【００２８】
コンテンツインプレッションレコード２１５は、コンテンツ再生デバイスによるコンテンツ構成要素のインプレッション（例えば、アクセス、表示、利用、又は同様のもの）についての情報を提供するよう構成された種々のレコード要素２２０ａ−２１０ｎを含むことができる。コンテンツインプレッションレコード２１５のレコード要素の例証的で非限定的な実施例は、デバイス識別子２２０ａと、日付２２０ｂ及び時刻２２０ｃインジケータと、関連するコンテンツ構成要素のコンテンツ識別子２２０ｄと、いずれのネットワークにコンテンツ再生デバイスが属するかを示すよう構成されたネットワーク２２０ｆ要素と、コンテンツ再生デバイス及び／又はメディアネットワークアカウントに関連する所有者、加入者、又は同様のものを示すよう構成された所有者２２０ｇ要素と、メタデータ２２０ｎと、本明細書に記載する実施形態に従って使用できる他のいずれかのタイプのレコード要素と、を含むことができる。
【００２９】
図３は、第１の実施形態による例示的なコンテンツ配信システムを示す。図３に示すように、コンテンツプロバイダ３０５は、コンテンツ３１０をコンテンツ再生デバイス３１５に送信するよう構成することができる。コンテンツ３１０は、コンテンツ構成要素及び／又はコンテンツプロモーションメッセージを含むことができる。幾つかの実施形態によれば、コンテンツ再生デバイス３１５は、「Ｓｍａｒｔ  ＴＶ」、「Ｃｏｎｎｅｃｔｅｄ  ＴＶ」、「Ｈｙｂｒｉｄ  ＴＶ」、又はビルトインネットワーク接続性及びウェブベース技術を備えた他のＴＶとして構成されたテレビ（ＴＶ）を含むことができる。１つの実施形態において、接続性は、当業者には公知の有線又は無線技術を通じて実施することができる。例えば、Ｓｍａｒｔ  ＴＶが配置された自宅のインターネット接続などの既存のネットワーク接続を用いたイーサネット(登録商標)又はＷｉ−Ｆｉ（例えば、ＩＳＰネットワーク上で）である。１つの実施形態において、ウェブベース技術は、対話型コンテンツにアクセスするよう構成されたウェブブラウザなどのいずれかのタイプのソフトウェアを含むことができる。
【００３０】
幾つかの実施形態に従って使用されるＳｍａｒｔ  ＴＶは、コンテンツ自動認識（ＡＣＲ）機能を含むことができる。ＡＣＲは、Ｓｍａｒｔ  ＴＶを用いて再生されるコンテンツをモニタして、特定のコンテンツを自動的に認識するよう構成することができる。１つの実施形態において、幾つかの実施形態に従って使用されるＳｍａｒｔ  ＴＶのＡＣＲ機能は、コンテンツを認識するためのコンテンツ「フィンガープリント」として用いられるコンテンツ（コンテンツプロモーションメッセージ、コンテンツ構成要素、及び／又はこれの一部分）の一意のチェックサム値を計算することができる。フィンガープリントは、コンテンツのオーディオ及び／又はビデオ部分から計算することができる。以下でより詳細に説明するように、メディアネットワーク運用業者及び／又はユーザが認識しようとする可能性があるコンテンツに関してフィンガープリントを送信前に計算することができ（例えば、「送信前」フィンガープリント又はネットワーク識別子として）、該フィンガープリントはデータベース内に格納することができる。Ｓｍａｒｔ  ＴＶは、表示中のコンテンツのフィンガープリントを生成することができる（例えば、「表示されたコンテンツ」フィンガープリント又はデバイス識別子として）。フィンガープリントを分析して、ある所定のコンテンツが認識されたかどうかを判定することができる。例えば、表示されたコンテンツのフィンガープリント（又はデバイス識別子）を送信前フィンガープリント（又はネットワーク識別子）と比較して、ユーザによって視聴されたコンテンツが、コンテンツプロバイダによって事前選択されたコンテンツに一致するかどうかを判定することができる。
【００３１】
図３を再度参照すると、コンテンツプロバイダ３０５は、コンテンツプロバイダが認識しようとしている事前選択のコンテンツ３２０を送信することができる。事前選択されたコンテンツ３２０に関してネットワーク識別子又はフィンガープリントを生成して、フィンガープリントデータベース３２５内に格納することができる。コンテンツプロバイダ３０５は、コンテンツ３１０をＳｍａｒｔ  ＴＶ３１５に送信することができる。１つの実施形態において、Ｓｍａｒｔ  ＴＶ３１５は、コンテンツ再生デバイスを通じて提示されるコンテンツ３１０のキャッシュされたフィンガープリントを格納するよう構成されるメモリデバイス、キャッシュデバイス、又は他のストレージデバイスを有することができる。Ｓｍａｒｔ  ＴＶ３１５は、コンテンツ３１０をユーザに提示することができる。幾つかの実施形態によれば、コンテンツ３１０の提示は、ライブ（例えば、Ｓｍａｒｔ  ＴＶ３１５のディスプレイ要素上にテレビ番組を表示するもの）、又はタイムシフト（例えば、録画及び／又は録画したテレビ番組をＳｍａｒｔ  ＴＶによってアクセス可能なデジタル録画要素を通じて提示するもの）とすることができる。コンテンツ３１０をユーザに提示する間、Ｓｍａｒｔ  ＴＶ３１５は、コンテンツ３１０についてのデバイス識別子を生成することができる。例えば、Ｓｍａｒｔ  ＴＶ３１５は、コンテンツ提供（例えば、テレビのエピソード、コマーシャル及び／又はこれの一部）毎に１つのフィンガープリント、コンテンツ提供毎に所定数のフィンガープリント、時間的間隔毎に１つのフィンガープリント（例えば、５秒毎に１つ）、連続フィンガープリント、又はこれらの組み合わせを生成することができる。
【００３２】
Ｓｍａｒｔ  ＴＶ３１５によって生成されたフィンガープリントは、Ｓｍａｒｔ  ＴＶ上にローカルに格納されたフィンガープリント及び／又はフィンガープリントデータベース３２５内に格納されたフィンガープリントと比較することができる。幾つかの実施形態によれば、トリガ３３０は、フィンガープリントの一致に応答して開始することができる。トリガ３３０は、限定ではないが、Ｓｍａｒｔ  ＴＶ３１５、フィンガープリントデータベース３２５、コンテンツプロバイダ３０５に関連するサーバ及び／又はソフトウェアを含む種々のソースによって開始することができる。トリガ３３０は、幾つかの実施形態に従って、付加的なペイロード、メタデータ、報告機能、又は同様のものなど種々の事象を含むように構成することができる。
【００３３】
図４は、第２の実施形態による例示的なコンテンツ配信システムを示す。図４に示すように、コンテンツプロバイダ４０５は、テレビ又はＳｍａｒｔ  ＴＶなどのコンテンツ再生デバイス４１５にこれらのデバイス上で再生するためコンテンツ４１０を送信するよう構成することができる。コンテンツプロバイダ４０５は、ネットワーク識別子（例えば、コンテンツプロバイダフィンガープリント）を生成するよう構成されたフィンガープリントサーバにコンテンツプロモーションメッセージ４２０及び／又はコンテンツ構成要素４２５を送信することができる。１つの実施形態において、コンテンツプロバイダフィンガープリントは、フィンガープリントデータベース４３５内に格納することができる。コンテンツプロバイダフィンガープリントは、種々の方法に基づいて生成することができる。例えば、コンテンツプロバイダフィンガープリントは、Ｓｍａｒｔ  ＴＶコンテンツ再生デバイス４１５のＡＣＲ設定など、他のシステム構成要素によって用いられるフィンガープリント生成技術に基づいて生成することができる。
【００３４】
インプレッションレコードは、コンテンツ再生デバイス４１５を通じて再生される（例えば、ライブ及び／又はタイムシフトの）コンテンツ４１０に応答して生成することができる。例えば、Ｓｍａｒｔ  ＴＶコンテンツ再生デバイス４１５のＡＣＲ機能は、再生デバイス上で再生される番組プロモーションメッセージ（例えば、テレビ番組を宣伝するテレビコマーシャル）のためのデバイス識別子又はフィンガープリントを生成することができる。デバイスフィンガープリントは、Ｓｍａｒｔ  ＴＶコンテンツ再生デバイス４１５においてローカルに、又はフィンガープリントデータベース４３５内に格納することができる。フィンガープリントデータベース４３５は、（例えば、Ｓｍａｒｔ  ＴＶコンテンツ再生デバイス４１５、ＡＣＲ機能及び／又はコンテンツプロバイダ４０５に関連するコンピュータデバイスによって）デバイスフィンガープリントがコンテンツプロバイダフィンガープリントに一致するかどうかを判定するために分析することができる。幾つかの実施形態によれば、この一致は、コンテンツプロバイダ４０５によって指定されたコンテンツ４２０、４２５に一致するコンテンツ４１０にユーザがアクセスしている（例えば、コンテンツプロバイダが追跡しようとするテレビコマーシャル／エピソードをユーザが見ている）ことを示すことができる。番組プロモーションメッセージ４１０に関して一致が見出された場合、メッセージインプレッションレコードを生成して、インプレッションデータベース４４０内に格納することができる。
【００３５】
デバイスフィンガープリントは、上述の番組プロモーションメッセージに関連するテレビ番組のようなコンテンツ構成要素に応答して生成され、Ｓｍａｒｔ  ＴＶコンテンツ再生デバイス４１５にローカルに又はフィンガープリントデータベース４３５内に格納することができる。上述のように、デバイスフィンガープリントに関して一致が見出された場合、コンテンツインプレッションレコードを生成して、インプレッションデータベース４４０内に格納することができる。幾つかの実施形態では、コンテンツプロモーションメッセージ及び／又はコンテンツ構成要素に関して複数のインプレッションレコードを生成することができ、例えば、これらがコンテンツ再生デバイス４１５によって利用される毎に１つ生成するように定めている。
【００３６】
フィンガープリントデータベース４３５、インプレッションデータベース４４０、及び／又はコンテンツ再生デバイス４１５内に格納された情報が分析（４４５）されて、コンテンツプロモーションメッセージの様々な成果を判定することができる。例えば、宣伝されるコンテンツに関連したシステムユーザの視聴行動に対する１又はそれ以上のコンテンツプロモーションメッセージの効果を判定することができる。１つの実施形態において、フィンガープリントデータベース４３５、インプレッションデータベース４４０、及び／又はコンテンツ再生デバイス４１５は、リアルタイムに又は実質的にリアルタイムに更新することができる。したがって、これらの情報ソース４１５、４３５、４４０がリアルタイムに及び／又は実質的にリアルタイムに分析（４４５）されて、コンテンツプロモーションメッセージの更新された及び／又は動的な成果を提供することができる。
【００３７】
幾つかの実施形態によれば、フィンガープリントデータベース４３５、インプレッションデータベース４４０、及び／又はコンテンツ再生デバイス４１５内に格納されたリアルタイム又は実質的にリアルタイムの情報を用いて、コンテンツ４１０とのユーザ対話に基づくプロモーションキャンペーンを適応させることができる。例えば、リアルタイム又は実質的にリアルタイムの情報は、リダイレクトキャンペーン（ウェブサイトのバナー広告のリダイレクトキャンペーンなど）に関連するコンテンツプロバイダ４０５に、ユーザが第２の広告よりも第１の広告の方により好意的に応答している（例えば、ユーザが、第２の広告で宣伝した第２のウェブサイトよりも高い比率で第１の広告にて宣伝した第１のウェブサイトにアクセスしている）ことを示すことができる。コンテンツプロバイダ４０５は、第１の広告の特定の特性に一致するように、及び／又は第１の広告の使用を増加させ第２の広告の使用を減少させるように第２の広告を修正することができる。
【００３８】
幾つかの実施形態は、コンテンツ再生デバイス４１５のＡＣＲ機能を用いてインプレッションレコードを生成するよう構成することができるが、本実施形態はこれらに限定されず、本明細書では幾つかの実施形態によるインプレッションレコードを生成できるあらゆる技術が企図される。例えば、インプレッションレコードは、テレビ、セットップボックス、コンピュータデバイス、又は同様のものの上でのユーザ行動を追跡するよう構成されたクリックストリーム情報などのクリックストリーム情報に基づいて生成することができる。ユーザ行動は、コンテンツ再生デバイスを操作するよう構成されたリモコン、キーボード、及び／又はコンピュータデバイス上のキー押下のログを通じてなど、当業者に公知の種々の方法を用いて追跡することができる。例示的なコンピュータデバイスは、コンテンツ再生デバイスコントローラとして動作するよう構成されたスマートフォン及び／又はタブレットコンピュータデバイスを含む。１つの実施形態において、コンテンツ再生デバイスを操作するよう構成されたコンピュータデバイスは、例えば、コンテンツプロモーションメッセージ及び／又はコンテンツ構成要素を認識してインプレッションレコードを生成するためのＡＣＲソフトウェアを実行するよう構成することができる。幾つかの実施形態によれば、コンピュータデバイス及び／又はＳｍａｒｔ  ＴＶを通じてなど、インターネットプロトコル（ＩＰ）プラットフォームを通じてアクセスされるコンテンツは、コンテンツプロモーションメッセージ及び／又はコンテンツ構成要素を追跡するためのピクセルベースの追跡アプリケーションを使用することができる。
【００３９】
説明する技術は、複数の技術上の利点をもたらす。利点の非限定的な例は、コンテンツプロバイダ、広告主、メディアネットワーク運用業者、又は同様のものが、コンテンツプロモーションメッセージ及び／又はコンテンツプロモーションメッセージキャンペーンの有効性を含む、コンテンツプロモーションキャンペーンの成果を判定できることである。一般に、成果又は有効性は、コンテンツプロモーションメッセージに関連するコンテンツ及び／又はコンテンツプロモーションメッセージに視聴者をアクセスさせるコンテンツプロモーションメッセージの能力及び／又はコンテンツプロモーションメッセージを示すことができる。例えば、テレビのエピソード（例えば、テレビ番組の特定のエピソード）を宣伝するコンテンツプロモーションメッセージの成果は、コンテンツプロモーションメッセージが、コンテンツプロモーションメッセージがない場合の視聴者よりも多くの視聴者がこのエピソードを見るよう導くのに成功したかどうかを示すことができる。
【００４０】
幾つかの実施形態によれば、コンテンツプロモーションメッセージ及び／又はコンテンツプロモーションメッセージキャンペーンは、種々の応用を提供するよう構成することができる。１つの非限定的な応用は、コンテンツプロモーションメッセージの異なるバージョンの送信、及び／又は異なる人口区分などの異なるネットワークセグメントへのコンテンツプロモーションメッセージの送信を含むことができる。このような応用において、コンテンツプロバイダは、コンテンツプロモーションメッセージを受信した家庭の視聴習慣を、このメッセージを受信しなかった及び／又は異なるバージョンを受信した家庭と比較して、例えば、異なるコンテンツプロモーションメッセージを受信した家庭、より少ない数のコンテンツプロモーションメッセージを受信した家庭、及び／又はコンテンツプロモーションメッセージを受信しなかった家庭の間でコンテンツ構成要素の視聴率又は視聴者又は視聴者数に何らかの差違があるかどうかなどの成果を判定することができる。別の非限定的な応用では、コンテンツプロモーションメッセージは、種々のコンテンツ構成要素（異なる人口統計の視聴者を有する異なるテレビ番組など）内で送信することができる。更なる非限定的な応用は、各家庭間でコンテンツプロモーションメッセージの頻度、挿入回数（又は挿入時間（時刻）、ｉｎｓｅｒｔｉｏｎ  ｔｉｍｅｓ）、ネットワークを変えることを含むことができる。
【００４１】
幾つかの実施形態によれば、様々な応用をこれらの成果又は有効性に関して分析することができ、コンテンツプロバイダ、広告主、又は同様のものは、コンテンツプロモーションメッセージの生成、コンテンツプロモーションキャンペーン及び／又は広告枠の売買の際にこの情報を用いることができる。
【００４２】
図５は、上述のような種々のコンピュータ処理及びシステムを含む又は実施するのに使用できる例示的な内部ハードウェアのブロック図を示す。バス５００は、ハードウェアの他の例示する構成要素を相互接続するメイン情報ハイウェイとして機能する。ＣＰＵ５０５は、プログラムを実行するのに必要な計算及び論理演算を実行するシステムの中央処理ユニットである。ＣＰＵ５０５は、単独で又は図５に開示する他の要素の１又はそれ以上の要素と連動して、例示的な処理デバイス、コンピュータデバイス又はプロセッサであり、このような用語が本開示内で使用される。読み取り専用メモリ（ＲＯＭ）５３０及びランダムアクセスメモリ（ＲＡＭ）５３５は、例示的なメモリデバイスを構成する。
【００４３】
コントローラ５２０は、システムバス５００に対して１又はそれ以上の任意のメモリデバイス５２５とインタフェース接続する。これらのメモリデバイス５２５は、例えば、外部又は内部ＤＶＤドライブ、ＣＤ  ＲＯＭドライブ、ハードドライブ、フラッシュメモリ、ＵＳＢドライブ、又は同様のものを含むことができる。上述のように、これらの種々のドライブ及びコントローラは任意選択のデバイスである。これに加えて、メモリデバイス５２５は、いずれかのソフトウェアモジュール又は命令を格納するための個別ファイル、補助データ、結果のグループ又は補助データを格納するための共通ファイル、又は結果情報、補助データ、及び上述のような関連情報を格納するための１又はそれ以上のデータベースを含むよう構成することができる。
【００４４】
上述のようなコンテンツプロモーションメッセージ形成の成果を判定するのに関連する機能段階のいずれかを実行するためのプログラム命令、ソフトウェア、又は対話型モジュールは、ＲＯＭ５３０及び／又はＲＡＭ５３５内に格納することができる。任意選択的に、プログラム命令は、コンパクトディスク、デジタルディスク、フラッシュメモリ、メモリカード、ＵＳＢドライブ、Ｂｌｕ−ｒａｙ（登録商標）ディスクなどの光ディスク記憶媒体、及び／又は他の記録媒体などの有形のコンピュータ可読媒体上に格納することができる。
【００４５】
任意選択のディスプレイインタフェース５３０は、バス５００からの情報をオーディオ、視覚的、グラフィック、又は英数字形式でディスプレイ５３５上に表示させることができる。情報は、カレントジョブチケット及び関連タスクに関する情報を含むことができる。外部デバイスとの通信は、種々の通信ポート５４０を用いて行うことができる。例示的な通信ポート５４０は、インターネット又はローカルエリアネットワークなどの通信ネットワークに接続することができる。
【００４６】
ハードウェアはまた、キーボード５５０などの入力デバイス、又はマウス、ジョイスティック、タッチスクリーン、リモコン、ポインティングデバイス、ビデオ入力デバイス及び／又はオーディオ入力デバイスなどの他の入力デバイス５５５からのデータの受信を可能にするインタフェース５４５を含むことができる。
【００４７】
上記で開示した特徴及び機能並びに他の特徴及び機能又はこれらの代替物の幾つかを望ましく組み合わせて、多くの他の異なるシステム又は応用にすることができる点は理解されるであろう。また、現在予測されない又は予期しない種々の代替、修正、変形、又は改善形態が当業者によって今後行うことができ、このような代替、変形、及び改善形態は添付の請求項によって包含されるものとすることは理解されるであろう。
【符号の説明】
【００４８】
１００  メディアネットワーク
１０５  メディアコンテンツプロバイダ
１１０ａ  コンテンツプロモーションメッセージ
１１０ｂ  コンテンツプロモーションメッセージ
１１０ｎ  コンテンツプロモーションメッセージ
１１５ａ  メッセージ識別子
１１５ｂ  メッセージ識別子
１１５ｎ  メッセージ識別子
１２０ａ  コンテンツ構成要素
１２０ｂ  コンテンツ構成要素
１２０ｎ  コンテンツ構成要素
１２５ａ  コンテンツ識別子
１２５ｂ  コンテンツ識別子
１２５ｎ  コンテンツ識別子
１３０  データベース
１３５  メッセージインプレッションレコード
１４０  コンテンツインプレッションレコード
１５０  視聴者ネットワーク
１５５ａ  コンテンツ再生デバイス
１５５ｂ  コンテンツ再生デバイス
１５５ｎ  コンテンツ再生デバイス
１６０ａ  デバイス識別子
１６０ｂ  デバイス識別子
１６０ｎ  デバイス識別子
【図１】
0006322836.tif 000002
【図２】
0006322836.tif 000003
【図３】
0006322836.tif 000004
【図４】
0006322836.tif 000005
【図５】
0006322836.tif 000006